(57)【要約】    【課題】寺社、信者宅および家族宅に設置した情報通信端末をインターネット網を通じて接続し、独居老人等の頑張るお年よりを見守り励ますためのネットワークを構成し家族あるいは関係する機関にお年寄りの活動情報を提供するサービスを行う。    【解決手段】独居老人などの頑張るお年寄りには祖先を敬う信仰心があり、独居老人あるいは頑張るお年寄り宅の仏壇と日ごろなじみが深い寺社とのインターネット網による情報通信ネットワークを構築することで、独居老人などの頑張るお年寄りに心の安らぎを与えるとともに、心のこもった生活支援サービスが提供できる。  【選択図】図１
2007018024.tif 000002
【特許請求の範囲】
【請求項１】
複数の信者宅あるいは複数の信者宅の仏壇あるいは祭壇あるいはこれらの周辺に設置された情報家電および／あるいは情報端末と単一あるいは複数の寺社あるいは宗教団体あるいは福祉団体に設置された情報端末および／あるいは情報センタに設置された活動情報サーバと当該信者の家族あるいは関連する複数の個所に設置された情報家電および／あるいは情報端末をインターネット網を通じてネットワーク化し当該信者が当該情報家電および／あるいは情報端末を操作することにより生成される活動情報を当該活動情報サーバに収集して管理し当該信者の家族あるいは福祉関係機関あるいは必要な複数個所に設置された情報家電および／あるいは情報端末に対して随時にあるいは要求に応じて発信しあるいは受信しあるいは当該活動情報を取得して発信しあるいは受信する機能と当該活動情報を処理する機能あるいは交換・接続する機能あるいは相互の通信機能あるいはこれらの組合せにより頑張るお年寄りを励まし見守ることを特徴とする頑張るお年より見守るネットワーク
【請求項２】
複数の介護対象者宅に設置された情報家電および／あるいは情報端末と単一あるいは複数の寺社あるいは宗教団体あるいは福祉団体に設置された情報端末および／あるいは情報センタに設置された活動情報サーバと当該介護対象者の家族あるいは関連する複数の個所に設置された情報家電および／あるいは情報端末をインターネット網を通じてネットワーク化し当該介護対象者が当該情報家電および／あるいは情報端末を操作することにより生成される活動情報を当該活動情報サーバに収集して管理し当該介護対象者の家族あるいは関連する個所に設置された情報家電および／あるいは情報端末に対して随時にあるいは要求に応じて発信しあるいは当受信しあるいは該活動情報を取得して発信しあるいは受信する機能と当該活動情報を処理する機能あるいは交換・接続する機能および／あるいは相互の通信機能あるいはこれらの組合せにより頑張るお年寄りを励まし見守ることを特徴とする頑張るお年より見守るネットワーク
【請求項３】
当該情報家電および／あるいは情報端末がインターネット網に接続されるＩＰ電話機あるいはテレビ電話機でありあるいはタッチパネル式のパソコンでありあるいは音声で操作するパソコンでありあるいはこれらの組合せであり当該情報家電および／あるいは情報端末が有する相互に通信する機能あるいはワンクリックあるいはワンタッチ操作によりコンテンツ情報を発受信する機能あるいはこれらの組合せによって当該信者あるいは介護対象者の日々の活動状況あるいは生活反応を検知しあるいは寺社あるいは宗教団体あるいは福祉団体からの働きかけに対する応答を検知しあるいは付帯的に行われる活動を検知しあるいは当該信者あるいは介護対象者からの緊急信号の発信を検知しあるいはこれらの組合わせによって頑張るお年寄りを励まし見守ることを特徴とする請求項第１項から第２項に記載の頑張るお年より見守るネットワーク
【請求項４】
当該情報家電および／あるいは情報端末がインターネット網に接続される検知手段であり当該検知手段が当該信者宅あるいは介護対象者宅のテレビのチューナ部あるいは当該テレビの外部に接続されたチューナ部に設けられ少なくとも当該テレビの起動と停止あるいはチャンネル操作を検知して当該活動情報とすることを特徴とする請求項第１項から第３項に記載の頑張るお年より見守るネットワーク
【請求項５】
当該情報家電および／あるいは情報端末がインターネット網に接続されるセットトップボックス形のテレビ電話機であり外部に既存のテレビを接続し当該テレビ電話機の操作状態および／あるいは外部に接続したテレビの操作状態を検知し当該活動情報として当該インターネット網に発信することを特徴とする請求項第１項から第４項に記載の頑張るお年より見守るネットワーク
【請求項６】
当該情報家電および／あるいは情報端末がインターネット網に接続されるテレビとテレビ電話機を一体化した構造であり当該テレビの操作状態あるいはテレビ電話機の操作状態あるいはこれらの組合せを検知し当該活動情報として当該インターネット網に発信することを特徴とする請求項第１項から第５項に記載の頑張るお年より見守るネットワーク
【請求項７】
当該情報家電および／あるいは情報端末が当該信者あるいは介護対象者の生活状況を検出するための緊急発信手段および／あるいは複数のセンサを含み当該緊急発信手段および／あるいは複数のセンサから取得した活動情報をバケツリレによって無線親局に伝送して収集し当該無線親局において当該活動情報を当該インターネット網に向けて直接発信しあるいは当該情報端末が有するパソコン機能あるいはモデム機能あるいは回線接続制御機能あるいはこれらの組合せを介して発信することを特徴とする請求項第１項から第６項に記載の頑張るお年より見守るネットワーク
【請求項８】
当該テレビ電話機のカメラ部分を仏壇あるいは祭壇に対向して設置しあるいは仏壇あるいは祭壇の比較的に上部から下方に向けて設置しあるいは生活用品が視野に入りにくいように設置することを特徴とする請求項第１項から第７項に記載の頑張るお年より見守るネットワーク
【請求項９】
当該無線親局が当該テレビの外部に設けられたチューナ部に設けられた検知手段と一体化されあるいは共通化されあるいは無線回線を通じて接続され少なくとも当該インターネット網に接続する部分において先入れ先出しによりあるいは緊急度に応じて当該取得した活動情報を発信することを特徴とする請求項第１項から第８項に記載の頑張るお年より見守るネットワーク
【請求項１０】
当該緊急発信手段および／あるいはセンサが複数のアンテナあるいはトランスデユーサを切り替えて超音波信号あるいは高周波信号あるいは光信号を発信しあるいは受信し当該発信しあるいは受信する信号の搬送波信号あるいは副搬送波信号あるいは変調信号あるいは拡散符号の少なくとも位相差を検出する機能を有し当該信者あるいは介護対象者の居る場所を高精度で検知することを特徴とする請求項第１項から第９項に記載の頑張るお年より見守るネットワーク
【請求項１１】
当該センサが自動式の水道の蛇口あるいは自動式のトイレあるいは電子制御式の便座あるいは電子制御式の錠前あるいはドアあるいは電子制御式の窓あるいはカーテンあるいは電子制御式の風呂あるいは電動式のベッドあるいは電動式あるいは電子制御式の家庭電化製品あるいはこれらの組合せの内部に組み込まれあるいは一体化されあるいは附加されて操作状態を検知する手段を有し当該検知手段によって検知した活動情報を無線信号を通じて当該無線親局に伝送されることを特徴とする請求項第１項から第１０項に記載の頑張るお年より見守るネットワーク
【請求項１２】
当該センサがワットメータあるいはガスメータあるいは水道メータあるいはこれらの組合せの内部に組み込まれあるいは一体化されあるいは附加されており電気あるいはガスあるいは水道の使用量を検知した結果が無線信号により無線親局に伝送されることを特徴とする請求項第１項から第１１項に記載の頑張るお年より見守るネットワーク
【請求項１３】
当該情報家電あるいは情報端末あるいはＩＰ電話機あるいはテレビ電話機あるいはセットトップボックス形のテレビ電話機あるいは電子チューナあるいは無線親局あるいはセンサあるいはこれらの組合せが緊急発信手段を有し緊急発信時には当該インターネット網を経由して緊急信号を発信することを特徴とする請求項第１項から第１２項に記載の頑張るお年より見守るネットワーク
【請求項１４】
当該信者宅あるいは介護対象者宅に設置される情報家電および／あるいは情報端末の操作表示パネルがワンクリックあるいはワンタッチ操作が可能なタッチパネル式でありメニュにより選択的に操作できる構成でありおよび／あるいは高齢者が容易に操作できる構成・構造であることを特徴とする請求項第１項から第１３項に記載の頑張るお年より見守るネットワーク
【請求項１５】
当該信者宅あるいは介護対象者宅に設置される情報家電および／あるいは情報端末によって取得し表示できるメニュ情報および／あるいはコンテンツ情報が高齢者あるいは独居老人あるいはがんばるお年寄りを対象とするものであり厳密なセキュリテイ管理のもとで当該信者宅あるいは介護対象者宅の情報端末あるいは寺社あるいは宗教団体あるいは福祉団体の情報端末あるいは情報センタのサーバあるいはこれら内から選択された組合せに対して厳密なセキュリテイ管理のもとに手動による操作あるいはメモリ手段の交換あるいはアップロードおよび／あるいはダウンロードにより定期的あるいは不定期的あるいは日常的に更新されることを特徴とする請求項第１項から第１４項に記載の頑張るお年より見守るネットワーク
【請求項１６】
当該寺社あるいは宗教団体あるいは福祉団体において当該情報端末内および／あるいは情報センタのサーバに記憶される複数の個人別の活動情報から特定の高齢者あるいは独居老人あるいはがんばるお年寄りの活動情報を選択するためにニックネームあるいは容易に識別可能な鍵を設けて活動情報を検索しあるいは取得しあるいは把握しあるいは必要に応じて当該特定の個人に対して確認のための問い合わせを行うための操作が迅速かつ容易に行えるようワンクリック操作あるいはワンタッチ操作が可能なパネルあるいはボタンあるいは簡易な操作手段を有することを特徴とする請求項第１項から第１５項に記載の頑張るお年より見守るネットワーク
【発明の詳細な説明】
【技術分野】
【０００１】
この発明は、独居老人などの頑張るお年寄りを旧知の寺社あるいは宗教団体あるいは福祉団体等の関係者を中心にして見守り励ますためのネットワークと当該ネットワークを管理し運用するビジネスモデルに関するものである。
【背景技術】
【０００２】
従来の電子仏壇を含むネットワークに関する技術として特許文献１に記載されている「故人を祀る装置」があり、図５に示すように、１は電子仏壇、２は大容量記憶装置、３は公衆通信回線、４はユーザが檀家として登録しているお寺、５は給食サービスセンタ、６は保険・福祉センタ、７は家族、８は訪問看護センタ、９は救急医療サービスセンタ、１０は編集サービス業者である。
電子仏壇１、大容量記憶装置２、お寺４、給食サービスセンタ５、保険・福祉センタ６、家族７、訪問看護センタ８、救急医療サービスセンタ９、編集サービス業者１０は公衆通信回線３を通じて接続されている。
お寺４あるいは編集サービス業者１０からは、少なくとも日取りと予定された内容を含むスケジュール情報が当該大容量記憶装置２に公衆回線を通じてあらかじめダウンロードされており、ユーザは電子仏壇１に設けられた表示装置により当該スケジュール情報を表示させあるいは応答あるいは要求することができる。
【０００３】
従来の技術では、ユーザに対して選択可能なスケジュール情報を準備することはできるが、例えば、ユーザが独居老人などのがんばるお年寄りの場合に生活状況を監視しあるいは把握するために当該がんばるお年寄り個人個人の活動情報を取得して見守り励ますことが記載されておらず、公衆通信回線を用いるために技術的にもこれらの活動情報をリアルタイムでお寺あるいは編集サービス業者のもとに集めて記憶させることが難しい等の問題点がある。
一方、特許文献２に記載されている従来の「社寺参拝システム」では、インターネットを通じて社寺を参拝するためのシステムが開示されているが、社寺参拝に限られたものであり、特に独居老人を対象に寺社とのかかわりを意識したビジネスモデルに関するものではない。
また、特許文献３に記載されている従来の「おみくじサービス」では、インターネットを通じておみくじを引くことができるが、おみくじに限ったものでありゲーム的な感覚が強く、特に独居老人を対象に寺社とのかかわりを持たせるビジネスモデルに関するものではない。
【特許文献１】特許第３５３９７５４号
【特許文献２】特願２００２−１７５３７５号
【特許文献３】特開２００２−７５５８号
【発明の開示】
【発明が解決しようとする課題】
【０００４】
本発明は、近年社会全体の高齢化が進み益々増えつづける独居老人等の頑張るお年よりをインターネットを通じて見守り励ますためのサービスを提供するためになされた。
【課題を解決するための手段】
【０００５】
この発明に係わるネットワークは、複数の信者宅内あるいは複数の信者宅の仏壇あるいは祭壇内あるいは仏壇あるいは祭壇の前面あるいは仏壇あるいは祭壇の近辺に設置された情報端末と単一あるいは複数の寺社内に設置された情報端末と必要に応じてセンタのサーバと当該信者の家族の情報端末の間をインターネット回線を通じて相互間の接続をし、お年寄りが情報端末の操作をしあるいはコンテンツ情報を要求しあるいは完了ボタンを押した場合などに当該お年寄りの活動情報としてお寺の情報端末あるいはセンタのサーバに記録し当該お年寄りの家族が適宜取得できるようにすることによって当該がんばるお年寄りを見守り励ますサービスを提供する。
【０００６】
ここで、独居老人などの頑張るお年寄りは、一般に信仰心が厚く、仏壇あるいは祭壇を備えて先祖をお祭りし、寺社との社会的なつながりを強く保っており、一方、お寺の住職あるいは神社の神官などの聖職者は社会的な信用が高く、お年寄りが希望する場合、お年寄りの個人的な情報に関与することが許されるものと考えられる。独居老人などの頑張るお年寄りを見守り励まし日々の生活を支援するためには、前記の社会的なつながりと寺社の社会的な信用あるいは信頼関係を活用することが大切であり、社会的にも経済的にも貢献できる度合いが大きく効果も大きい。
また、お年寄りが取り扱う情報端末としてワンクリック式あるいはタッチパネル式の操作表示パネルを用いてメニュ表示からワンクリックあるいはワンタッチで選択したコンテンツ情報をもとに外部に要求を発信しあるいは必要情報を受信することが容易にできるようにすることで、抵抗感が少なくなり、日々の生活の中でタッチパネルを操作する機会が多くなり、お年寄りのプライバシに十分に配慮した上で活動情報を取得するのに最適な手段を提供できる。
【０００７】
また、ＩＰおよび／あるいはＴＶ電話機でお寺の住職あるいは神社の神官あるいは宗教団体の聖職者等と会話することは心の癒しとなり無理なくお年寄りに受け入れられることからお年寄りの個人個人の活動情報を取得するのに有効である。
また、従来のように電気ポットあるいはテレビあるいはトイレ等の利用状態を検知するために別に設けた生活センサとの組合せにより活動情報を取得するのは有効である。
【発明の効果】
【０００８】
従来の独居老人などの頑張るお年寄りの生活動性を把握する方法には電気ポットあるいはテレビあるいはトイレ等の利用状態をセンサーで検知しインターネットを通じて関係者に知らせるなどの方法があるが、これらはいずれも独居老人などの頑張るお年寄りとの関係が無機質な方法であり、お年寄りの人格を損なう恐れがあった。寺社あるいは宗教団体が介在することでお祈り等の生活習慣を通じて心の通ったネットワークが構築でき、ワンクリックあるいはワンタッチ式のパネルによる簡単な操作で要求の発信あるいは情報の入手を行うことでお年寄りの活動情報が取得できあるいは使い慣れたＩＰおよび／あるいはＴＶ電話機を操作することでお年寄りの活動情報を取得でき、当該お年寄りの家族からの問い合わせに答えることで、お年寄りとその家族の幸せのみでなく寺社あるいは宗教団体の活性化にも役立つことから当該サービスを通じて新しいビジネスが起業でき社会へ貢献することができる。
【発明を実施するための最良の形態】
【０００９】
この発明に係わるネットワークは、図１に示すように、複数の信者宅内あるいは複数の信者宅の仏壇あるいは祭壇内あるいはあるいは仏壇あるいは祭壇の前面あるいは仏壇あるいは祭壇の近辺に設置されたワンクリックあるいはワンタッチ式の操作表示パネルを含む情報端末１３ａ、１３ｂと、寺社内に設置された情報端末１２ａ、１２ｂおよび当該信者の家族あるいは福祉関係機関内に設置された情報端末１４と、必要に応じてセンタ１５のサーバ２６ａを含めて、インターネット網を通じて接続されている。
図２では、お年寄りの活動情報を取得するための基本となる情報の例と流通の経路の例が示されており、寺社の住職あるいは神社の神官等から信者に働きかけた場合の応答状況を把握してセンタのサーバあるいは寺社の情報端末に活動情報として記憶し、あるいはお年寄りがワンクリックあるいはワンタッチ式の操作表示パネルを操作したときの状況を把握してセンタのサーバあるいは寺社あるいは宗教団体の情報端末に活動情報として記憶することで、お年寄りのプライバシを損なうことなく、心の通った対応策が採れるメリットがある。
【実施例１】
【００１０】
図１は、本発明のネットワークの構成を示す図である。図１において、１２ａ、１２ｂは寺社あるいは宗教団体など、１３ａ、１３ｂは信者宅の仏壇あるいは祭壇、１４は家族あるいは福祉関連機関、１５はセンタ装置、２１ａ〜２１ｄ、２２ａ〜２２ｄは寺社１２ａ、１２ｂに設置された情報端末、２３ａ〜２３ｅ、２４ａ〜２４ｅは信者宅仏壇１３ａ、１３ｂに設置された情報家電および／あるいは情報端末、２５は家族あるいは福祉関連機関１４に設置された情報端末、２６ａ、２６ｂはセンタ装置を構成するサーバ、３１はインターネット網、４１ａ〜４１ｅは通信回線である。
寺社１２ａ、１２ｂに設置された情報端末２１ａ〜２１ｄ、２２ａ〜２２ｄ、信者宅の仏壇１３ａ、１３ｂに設置された情報家電および／あるいは情報端末２３ａ〜２３ｅ、２４ａ〜２４ｅおよび家族あるいは福祉関連機関１４に設置された情報端末２５はインターネット網３１に通信回線４１ａ〜４１ｅを通じて接続されている。
お年寄りが仏壇の前に座りワンクリックあるいはワンタッチ式の操作表示パネル２３ｄあるいは２４ｄのＯＮボタンを押すと、あらかじめダウンロードされあるいは新たにダウンロードされたメニュが表示され、メニュボタンを選択して押すとメニュに従って必要な処理が組込パソコン２３ｂあるいは２４ｂにより行われ、当該処理の課程で、センタ装置１５内のサーバ２６ａあるいは寺社あるいは宗教団体１２ａあるいは１２ｂ内のパソコン２１ｃあるいは２２ｃへ操作表示パネル２２ｂ、２４ｂ等の操作に基づく活動情報が発信される。
【００１１】
信者宅１３ａ、１３ｂから送られた活動情報はセンタ装置１５内の活動情報管理サーバ２６ｂあるいは寺社１２ａ、１２ｂ内の活動情報監視サーバ２１ｃ、２２ｃに記憶され管理あるいは監視され、当該信者の活動が少ない場合あるいは急激に減少した場合等には警報を発し、あるいは家族１４からの問い合わせがある場合には当該個別のお年寄りの活動状況を報告することができる。
信者宅の仏壇１３ａ、１３ｂに情報家電および／あるいは情報端末２３ａ〜２３ｅ、２３ａ〜２３ｅを設置するのは、特に独居老人が過去の生活習慣から先祖を敬い仏壇を大切にしていることから、独居老人の日常の活動状態を把握するのに適していることによる。従って、信者宅の仏壇１３ａ、１３ｂと縁の深い寺社１２ａ、１２ｂとのネットワークを組むことによって、寺社１２ａ、１２ｂが有する社会的な信用あるいは当該信者との信頼関係を通して心のこもった生活支援が可能となる。
【００１２】
ここで、当該信者宅の仏壇あるいは祭壇１３ａ、１３ｂに設置される情報家電および／あるいは情報端末２３ａ〜２３ｅ、２４ａ〜２４ｅは一例を示したものであり、ＩＰ電話機あるいはテレビ電話機あるいはセットトップボックスあるいはパソコンあるいはセンサあるいは無線親局あるいは電子チューナあるいはテレビ等インターネット網に直接あるいは間接的に接続できる各種の装置あるいは手段から取捨選択して設置することができる。
また、当該操作表示パネル２２ｄあるいは２４ｄにはワンクリックあるいはワンタッチ式のものを用いることで高齢者にも容易に操作でき、さらに、操作表示パネルを各種の情報家電および／あるいは情報端末と共通化あるいは一体化することで、手による操作の他に音声あるいは画像を通してメニュを選択し、コンテンツ情報を取得し、要求を発信し、関係する情報を入手しあるいは交換できるメリットが生まれる。
また、近年課題となっている個人情報の保護あるいはプライバシ保護に関しては、寺社あるいは宗教団体などの社会的な信頼性と各個人との信頼関係により個人情報あるいはプライバシへの相当程度までの介入は許容されるもの考えられることから、更に、ワンクリックあるいはワンタッチ式の操作表示パネルを操作したことのみから活動情報を取得しあるいはメニュの項目のみ等に限定して活動情報を取得しコンテンツ情報の内容にまでは介入しないことができることから十分なプライバシー保護が可能となる。
【００１３】
また、独居老人が関心をもつコンテンツ情報をダウンロードを通じて更新しあるいは追加することで、毎日の生活の中で、電気ポットあるいはテレビあるいはトイレ等の利用以上にメニュの選択とコンテンツ情報の活用が積極的に行われるので活動情報を取得するのには最適な方法であり、従来の生活センサを設置するよりもコストを抑え安価にすることが十分に可能である。
また、給食センタあるいは食材の宅配業者からダウンロードされた給食メニュあるいは食材から好きなメニュあるいは食材を選ぶことは、朝昼晩の３食が必ずつきものであるので、一日を通しての活動情報を取得するのに有効である。
また、当該各種センサ２３ｃ、２４ｃが複数のアンテナあるいはトランスデユーサを切り替えて超音波信号あるいは高周波信号あるいは光信号を発信しあるいは受信し当該発信しあるいは受信する信号の搬送波信号あるいは副搬送波信号あるいは変調信号あるいは拡散符号の少なくとも位相差を検出する機能を有する場合、当該信者あるいは介護対象者の居る場所を高精度で検知することができる。
また、当該各種センサ２３ｃ、２４ｃが自動式の水道の蛇口あるいは自動式のトイレあるいは電子制御式の便座あるいは電子制御式の錠前あるいはドアあるいは電子制御式の窓あるいはカーテンあるいは電子制御式の風呂あるいは電動式のベッドあるいは電動式あるいは電子制御式の家庭電化製品あるいはこれらの組合せの内部に組み込まれあるいは一体化されあるいは附加されて操作状態を検知する手段を有し当該検知手段によって検知した活動情報を無線信号を通じて当該無線親局に伝送しインターネット網に発信することができる。
また、当該各種センサ２３ｃ、２４ｃがワットメータあるいはガスメータあるいは水道メータあるいはこれらの組合せの内部に組み込まれあるいは一体化されあるいは附加されており電気あるいはガスあるいは水道の使用量を検知した結果が無線信号により無線親局に伝送されインターネット網に発信することができる。
また、当該ＩＰ電話機あるいはテレビ電話機あるいはセットトップボックス形のテレビ電話機あるいは電子チューナあるいは無線親局あるいはセンサあるいはこれらの組合せが緊急発信手段を有し緊急発信時には当該インターネット網を経由して緊急信号を発信することができる。
【実施例２】
【００１４】
図２は、本発明のネットワークで流通する情報の種類と流通の経路を示す図である。図２において、２００は寺社が取扱う情報、２０１は朝のお勤め、説教、講話など寺社により発信される音声あるいは画像等の情報、２０２はＩＰ電話端末あるいはＴＶ電話端末による送受信される情報、２０３はパソコン２０４により受信される活動情報、２０４はパソコンにより取扱われる情報、３００はインターネット網で接続される情報、４００は信者宅の情報、４０１は朝のお勤め、お祈り、受講などの信者宅で受信される音声あるいは画像等の情報、４０２はＩＰ電話端末あるいはＴＶ電話端末で送受信される情報、４０３はタッチパネルおよび／あるいは生活センサなどから発信される情報、４０４はパソコンで取り扱われる情報、６００はセンタ装置により取り扱われる情報、６０１はサーバでとり扱われる情報、６０２は活動情報、６０３はコンテンツ情報である。
【００１５】
寺社情報２００の中で、お寺の住職による朝の読経、説教あるいは講話などの音声あるいは画像等の情報がＩＰおよび／あるいはＴＶ電話端末の情報２０２として１対１あるいは１対Ｎの配信サービスにより送出され、信者宅の情報４００として信者の希望によってメニュから選択し音声あるいは画像等の情報４０１として受信することができる。一方、タッチパネルの操作４０３は当該信者の活動情報としてパソコンにより取り扱われる情報４０４に含めインターネット網の情報３００として発信され、センタの情報６００内のサーバ内の情報６０１の一部として活動情報６０２が記憶される。
センタの情報６００内の活動情報６０２はその都度あるいは定期的に処理されて、個人毎の活動状況が分析され個人の活動情報として整理され記憶され、寺社の情報２００内の活動情報２０３としてダウンロードされる。
寺社２００の中の活動情報２０３を検索することで独居老人の生活状況を監視し問題ありと判断される時には音声によって確認をとりあるいは当該信者の家族あるいは福祉関連機関に発信し必要な生活支援が可能となる。
【００１６】
ここで、上記に示した情報の種類および流通の経路は一例を示したものであり、取捨選択しあるいは追加することによって多種の方法が準備できる。
また、信者宅の情報４００の中には、図１に示す各種センサから取得する情報が含まれ、従来のように電気コンロあるいは電気ポットあるいはテレビあるいはトイレ等の電気製品あるいは家電製品等の起動・停止を検知するために別に設けた生活センサにより検知したものを含めることができる。
【実施例３】
【００１７】
図３は、本発明のネットワークの信者宅で用いる情報端末の配置を示す図である。図３において、７０１はお仏壇あるいは祭壇、７０２はタッチパネルを含む操作表示装置、７０３はＴＶ電話機、７０４は信者である。
タッチパネルを含む操作表示装置７０２は、お仏壇あるいは祭壇７０１の適当な位置に埋め込まれあるいは当該お仏壇あるいは祭壇７０１の前方の位置に置かれており、お仏壇あるいは祭壇７０１と相対する格好でＴＶ電話機７０３のカメラ部分が設置され、お仏壇あるいは祭壇７０１とＴＶ電話機７０３のカメラ部分の中間地点に信者７０４が座している。
かかる配置において、信者７０４がメニュに従ってコンテンツ情報を取得しあるいは要求を出すことができ、タッチパネルを含む操作表示装置７０２を操作する場合には信者７０４はお仏壇あるいは祭壇７０１に向いて座しており、ＴＶ電話機により朝のお勤め、説教、講話など寺社により発信される音声あるいは画像等の情報を拝聴しあるいはお寺の住職と対話する等のときにはＴＶ電話機７０３のカメラ部分に相対して座すことで、ＴＶ電話機７０３を使用時に周辺の生活用品がＴＶ電話機７０３のカメラ部分の視野に入らないメリットがある。
【００１８】
ここで、ＴＶ電話機７０３のカメラ部分がお仏壇あるいは祭壇７０１と相対する場合について述べたが、当該ＴＶ電話機７０３のカメラ部分をお仏壇あるいは祭壇７０１の上部から下方に向けて設置し、あるいは横方向あるいは他の方向で生活用品が視野に入らない方向に設置しても同様な効果が得られる。
また、必要に応じてＴＶ電話機７０３と操作表示パネル７０２を一体化しあるいは携帯可能な端末として準備することで利用者の利便性を向上することができる。
【実施例４】
【００１９】
図４は、本発明のネットワークで取り扱われる活動情報の処理プログラムを示す図である。図４において、８０１は信者宅のタッチパネルを含む操作表示装置によるメニュの選択、８０２はコンテンツ情報をダウンロードする要求か否かの判定、８０３はコンテンツ情報をダウンロードする要求の発信、８０４はコンテンツ情報のダウンロード、８０５は画面への表示、８０６はＥＮＤ選択か否かの判定、８０７はＥＮＤ、８０８はインターネットへの接続、８０９は寺社への接続か否かの判定、８１０は活動情報の検知、８１１は個人別の活動情報の集計と記録、８１２はＥＮＤである。
【００２０】
信者宅のタッチパネルを含む操作表示装置においてメニュを選択８０１をすると、当該選択８０１がコンテンツ情報をダウンロードする要求であるか否かの判定８０２を行いコンテンツ情報をダウンロードする要求と判定されると、インターネット網経由でコンテンツ情報をダウンロードする要求の発信８０３がセンタサーバに向けて送られ、センタサーバでは活動情報の検知８１０を行うとともにコンテンツ情報のダウンロード８０４を行い、信者宅のタッチパネルを含む操作表示装置に画面表示８０５がされ、メニュの終了ボタンが押されるまで継続される。
コンテンツ情報をダウンロードする要求か否かの判定８０２がコンテンツ情報以外の場合には、インターネット網に接続８０８が行われ、当該接続が寺社に対して行われたか否かの判定８０９が寺社への接続であればセンタサーバで活動情報の検知８１０が行われ、個人毎に活動情報が集計・記憶８１１され、処理が完了すればＥＮＤ８１２に移行して処理を終了する。
【００２１】
ここで、活動情報の検知８１０をコンテンツ情報をダウンロードする要求８０３および寺社への接続８０９に限定したが、その他のメニュ選択８０１あるいは別に設置した生活センサからの情報についても活動情報の検知８０９として個人別に活動情報を集計・記憶８１１とすることができる。
【００２２】
以上の説明では、寺社内に情報端末を設置するものとしたが、その他の宗教団体など独居老人などの頑張るお年寄りに心の安らぎを与えられる関係機関に情報端末を設置しても同様な効果が得られる。
また、寺社に限らず高齢者との信頼関係が保てる団体あるいは機関、あるいは社会的に認められ団体あるいは機関が実施しても同様な効果が得られることは言うまでもない。
【産業上の利用可能性】
【００２３】
本発明のネットワークでは、寺社あるいは宗教団体などを積極的に介護ビジネスに参入させることで独居老人などの頑張るお年寄りのプライバシを保護しながら安否を確認する以外に生活相談あるいは心のケアなどのサービスが可能となる。
【図面の簡単な説明】
【００２４】
【図１】本発明のネットワークの構成を示す図である。
【図２】本発明のネットワークで流通する情報の種類と流通の経路を示す図である。
【図３】本発明のネットワークの信者宅で用いる情報端末の配置を示す図である。
【図４】本発明のネットワークで扱われる活動情報の処理プログラムを示す図である。
【図５】従来の電子仏壇を含むネットワークの接続図である。
【符号の説明】
【００２５】
１                                          電子仏壇
２                                          大容量記憶装置
３                                          公衆通信回線
４                                          お寺
５                                          給食サービスセンタ
６                                          保険・福祉サービスセンタ
７                                          家庭
８                                          訪問看護センタ
９                                          救急医療サービスセンタ
１０                                        編集サービス業者
１２ａ、１２ｂ                              寺社あるいは宗教団体の情報端末
１３ａ、１３ｂ                              信者宅の情報端末
１４                                        遠隔地の家族あるいはその他の機関あるいは団体の情報端末
１５                                        センタ装置
２１ａ、２２ａ、２３ａ、２４ａ              ＩＰおよび／あるいはＴＶ電話機
２１ｂ、２２ｂ、２３ｂ、２４ｂ、２５        パソコン
２１ｃ、２２ｃ                              活動情報監視サーバ
２３ｃ、２４ｃ                              各種センサ
２１ｄ、２２ｄ、２３ｄ、２４ｄ              ワンクリックあるいはワンタッチ式の操作表示パネル
２３ｅ、２４ｅ                              テレビ等情報家電
２６ａ                                      センタサーバ
２６ｂ                                      活動情報管理サーバ
３１                                        インターネット網
４１ａ、４１ｂ、４１ｃ、４１ｄ              高速通信回線
【００２６】
２００                                      寺社が取扱う情報
２０１                                      朝のお勤め、説教、講話などの音声あるいは画像の情報
２０２                                      ＩＰおよび／あるいはＴＶ電話機が送受信する情報
２０３                                      個人別の活動情報
２０４                                      パソコンが送受信する情報
３００                                      インターネット網が接続あるいは交換する情報
４００                                      信者宅の情報
４０１                                      朝のお勤め、お祈り、受講などのセンサ情報、音声あるいは画像の情報
４０２                                      ＩＰ電話端末あるいはＴＶ電話端末が送受信する情報
４０３                                      ワンクリックあるいはワンタッチ式の操作表示パネルの操作情報あるいは各種センサの情報
４０４                                      パソコンが送受信する情報
６００                                      センタで取り扱う情報
６０１                                      センタサーバにより取扱われる情報
６０２                                      個人別活動情報
６０３                                      コンテンツ情報
７０１                                      仏壇あるいは祭壇
７０２                                      テレビおよび／あるいは情報端末の操作表示パネル
７０３                                      ＴＶ電話機のカメラ部分
７０４                                      信者
８０１                                      メニュ選択
８０２                                      コンテンツ情報の要求であるか否かの判定
８０３                                      コンテンツ情報の要求
８０４                                      コンテンツ情報のダウンロード
８０５                                      画面表示
８０６                                      ＥＮＤ選択であるか否かの判定
８０７                                      ＥＮＤ
８０８                                      インターネット網への接続
８０９                                      お寺あるいは宗教団体への接続であるか否かの判定
８１０                                      活動情報の検知
８１１                                      個人別活動情報の集計・記録
８１２                                      ＥＮＤ
【図１】
2007018024.tif 000003
【図２】
2007018024.tif 000004
【図３】
2007018024.tif 000005
【図４】
2007018024.tif 000006
【図５】
2007018024.tif 000007